(57)【要約】【課題】１つの軸体で、磁気表示パネル上に２種類の線幅が得られる、あるいは磁気反転タイプや磁気泳動反転タイプの磁気表示パネルにおいて、線の色を異ならせることが可能で、さらに、キャップを被覆することなく、筆記用具を落下した際に、磁石の縁部に直に衝撃が加わって磁石の縁部が欠けたりせず、付着した砂鉄を容易に取り除け、立てた状態のパネルに対して筆記しても良好な筆跡が得られる磁気表示パネル用の筆記用具を得る。【解決手段】非磁性体よりなる中空の軸体に、磁石を軸体の両端へ移動可能に収容する。軸体の筆記先端部となる両端部に磁性材料からなる磁性部材を設ける。軸体の両端において、移動した磁石が磁性部材に吸着した状態で、磁性部材を介して磁気表示パネルへの表示を可能とした。【選択図】図１
2009220538.tif 000002
【特許請求の範囲】
【請求項１】
磁石の磁気を利用して表示を行うことができる磁気表示パネル用の筆記用具であって、非磁性体よりなる中空の軸体に、磁石を軸体の両端へ移動可能に収容し、軸体の筆記先端部となる両端部に磁性材料からなる磁性部材を配し、軸体の両端において移動した磁石が磁性部材に吸着した状態で、磁性部材を介して磁気表示パネルへの表示を可能とした、磁気表示パネル用の筆記用具。
【請求項２】
前記磁石が、一方端をＮ極とし他方端をＳ極の磁極としたことを特徴とする、請求項１に記載の磁気表示パネル用の筆記用具。
【請求項３】
前記軸体の両端部分に、異なる色で形成した表示を施したことを特徴とする、請求項２に記載の磁気表示パネル用の筆記用具。
【請求項４】
前記軸体を、弾性部材で形成したことを特徴とする、請求項１ないし３のいずれか１項に記載の磁気表示パネル用の筆記用具。
【発明の詳細な説明】
【技術分野】
【０００１】
本発明は、磁石の磁気を利用して表示を行うことができる磁気表示パネル用の筆記用具に関する。
【背景技術】
【０００２】
従来、磁石を軸体に装着した筆記用具を用いて筆記することにより、その磁石の磁気を利用して表示を行うことができる磁気表示パネルについては知られている。例えば、
ａ）多くの微小粒の表示用磁性体と分散媒と増稠剤とを主成分とする降伏値を有する分散液体をパネル間に収容した磁気表示パネルであって、パネルの表示面から磁石により前記表示用磁性体を表示面側に吸引泳動させて表示を形成し、反対面から磁石により磁性粒子を表示面とは反対側の面に吸引沈降させて表示を消去する、いわゆる磁気泳動タイプと呼ばれているもの、
ｂ）Ｓ極およびＮ極を有し、Ｓ極側表面部分とＮ極側表面部分とを異なる色に着色した表示用磁性体、分散媒、増稠剤とを主成分とする降伏値を有する分散液体をパネル間に収容した磁気表示パネルであって、パネルの表示面から磁石により前記磁性表示体を反転して記録を表示し、同じ面から表示の時とは逆の極の磁気によりさらに反転して表示を消去する、いわゆる磁気反転タイプと呼ばれているもの、
ｃ）最近、ＷＯ  ２００５／０３３７９０公報により開示された、着色材を含有する分散媒中に、高保磁力材からなる第１の磁性材料と低保磁力材からなる第２の磁性材料とを混合してなり、Ｓ極側表面部分とＮ極側表面部分とを、分散媒の色とも異ならせてかつ互いの磁極の色を異なる色に着色した微小磁石を分散して得られた降伏値を有する分散液体をパネル間に収容した磁気表示パネルであって、分散液体中に分散した微小磁石をパネルの表示面から磁石により泳動または泳動／反転させて表示を形成し、さらに表示面から他の磁極の磁石により表示を形成した微小磁石を反転させて表示色を変化させることができ、表示面の裏面から消去用磁石により微小磁石を引き寄せて表示を消去する、背景以外に２色の表示、つまり３色で形成された磁気表示ができる、いわゆる磁気泳動反転タイプと呼ばれているもの
がある。
【０００３】
こうした磁気表示パネルの筆記には、分散液体に含有されている磁性表示体または微小磁石に磁界を作用させて、磁性表示体または微小磁石を分散液体中で泳動および／または反転させる必要があり、そのために磁気表示パネル用の筆記用具として軸体の先端に磁石を装着したものが提供されているが、従来の筆記用具は、１つの保持軸の先端に１つの磁石を装着したものがほとんどで、太い筆跡幅が得られる大径の磁石を装着した筆記用具、前記筆跡幅より細い筆跡幅が得られる細径の磁石を装着した筆記用具が個別に提供されているのが現状であった。そのために筆跡幅を変えて磁気表示パネルに筆記したい場合には、いちいち磁石の外径が異なった別の筆記用具に持替えて筆記する必要があった。
【０００４】
別の筆記用具に持替える煩わしさの問題を解消するものとして、１つの軸体の両端に外径が異なった磁石を装着したものが提供されているが、磁石が軸体の外方に露出した状態のものばかりである。特に、玩具用の表示板として提供されたものにおいては、子供達の使い勝手や、キャップの紛失や、キャップの誤飲等の理由から、筆記先端としての磁石をキャップで被覆しているものがないのが実情である。そのために、筆記用具を落下するなどして磁石に衝撃が加わると、磁石部分が損傷してしまうことがあり、その状態で磁気表示パネルに筆記すると、磁気表示パネルの表示面を傷つけてしまい、最悪の場合はパネル間に収容された分散液体が洩れてしまうという問題がある。また、筆記用具を外に持ち出して地面等に落下した際には磁石の先端に砂鉄が付着し、手で払っただけでは簡単に砂鉄を取り除くことができず、その状態で磁気表示パネル上に筆記すると、磁気表示パネルの表示面を傷つけてしまうという問題もあった。
【０００５】
本願出願人は前記問題を解消するために、先に出願した特願２００７−５２３８６号（出願日：平成１９年３月２日）により、中空の筒状で非磁性体よりなる軸体に、磁石を両端へ移動可能に収容した磁気表示パネル用の筆記用具を提案した。なお、軸体内に磁石を移動可能に配した構造の筆記具として、特開平３−２７０７８号公報により開示された技術があるが、粉末磁性現像剤により画像を形成した表示面に像を形成するための磁気像筆記具であって、ペン軸の先端部分に突出させて設けた鉄等の磁性体からなるトナー付着部材に前記磁石を接触させることで、トナー付着部材に磁性を帯びさせトナーを吸着させるもので、磁石の移動はトナー付着部材との接触のｏｎ、ｏｆｆの作用を図るもので、両端で筆記可能とする構造のものではない。
【０００６】
しかし、磁気表示パネルの使用状態において、例えば黒板のようにパネルを立てた状態で使われることもあり、前記したような、こうした場合の筆記用具の使用状態は、パネル面に対して垂直というよりは、パネル面に対向した一端より反対側の他端が下がった仰角状態で使用される。そのために、軸体内に磁石を両端へ移動可能に収容しただけでは、磁石が重力により筆記面側と反対側の軸体の端部に移動してしまい、良好な筆跡が得られないという問題があることが判り、本発明に到った。
【特許文献１】ＷＯ  ２００５／０３３７９０号公報
【特許文献２】特開平３−２７０７８号公報
【発明の開示】
【発明が解決しようとする課題】
【０００７】
本発明は、磁気表示パネル用の筆記用具として、１つの軸体で、磁気表示パネル上に２種類の線幅や、あるいは磁気反転タイプや磁気泳動反転タイプの磁気表示パネルにおいては線の色が異なった表示が可能であって、キャップを被覆することなく、筆記用具を落下した際に、磁石の縁部に直に衝撃が加わって磁石の縁部が欠けたりせず、また筆記用具の筆記先端部に付着した砂鉄を容易に取り除け、立てた状態の磁気表示パネルに対して筆記を行っても、良好な筆跡が得られる磁気表示パネル用の筆記用具を得ることにある。
【課題を解決するための手段】
【０００８】
本発明は、
「１．磁石の磁気を利用して表示を行うことができる磁気表示パネル用の筆記用具であって、非磁性体よりなる中空の軸体に、磁石を軸体の両端へ移動可能に収容し、軸体の筆記先端部となる両端部に磁性材料からなる磁性部材を配し、軸体の両端において移動した磁石が磁性部材に吸着した状態で、磁性部材を介して磁気表示パネルへの表示を可能とした、磁気表示パネル用の筆記用具。
２．前記磁石が、一方端をＮ極とし他方端をＳ極の磁極としたことを特徴とする、前記１項に記載の磁気表示パネル用の筆記用具。
３．前記軸体の両端部分に、異なる色で形成した表示を施したことを特徴とする、前記２項に記載の磁気表示パネル用の筆記用具。
４．前記軸体を、弾性部材で形成したことを特徴とする、前記１項ないし３項のいずれか１項に記載の磁気表示パネル用の筆記用具。」
である。
【０００９】
本発明において磁性部材は、鉄板等の磁性を示すものならなんでも良く、形状や厚みについても特に限定されないが、軸体内の磁石が磁性部材に吸着して、磁性部材を介して磁気表示パネルへの表示が可能な形状や厚みとする必要がある。本発明においては、筆記用具としての筆記先端部が、軸体内に配した磁性部材でも良いし軸体の先端部であっても良いが、少なくとも筆記の際に磁気表示パネルの表示面と接する筆記先端部の外径を、軸体の両端部において変えることで、１つの筆記用具で、磁気表示パネル上に２種類の線幅の表示が可能となる。
【００１０】
一方端をＮ極とし他方端をＳ極の磁極とした磁石を軸体に収容することで、前記した磁気反転タイプや磁気泳動反転タイプの磁気表示パネル用の筆記用具となる。
【００１１】
軸体の両端部に施す表示とは、ドットマークや「Ｎ」や「Ｓ］等の表示マークを施したり、軸体の両端部を異なる色で成形したり、着色を施す等のことである。特に、泳動反転型の磁気パネル用の筆記用具として、磁石のＮ極の磁極側で表示された筆跡の色と、磁石のＳ極の磁極側で表示された筆跡の色と同色または同系色とすることにより、どちらの軸体の端部側で筆記すれば所望する色の筆跡が得られるか一目瞭然で判る。
【００１２】
軸体を構成する非磁性体の弾性部材としては、エチレン酢酸ビニル共重合樹脂（ＥＶＡ樹脂）、エチレンアクリル酸エチル共重合樹脂（ＥＥＡ樹脂）、ポリプロピレン、ポリ塩化ビニル、ポリアセタール、合成ゴム等が挙げられる。
【発明の効果】
【００１３】
本発明の磁気表示パネル用の筆記用具は前記したような構造なので、１つの筆記用具で、磁気表示パネル上に２種類の線幅や、あるいは磁気反転タイプや磁気泳動反転タイプの磁気表示パネルにおいては線の色が異なった表示が可能となり、いちいち他の筆記用具に持替える必要がないので使い勝手が良い。また、磁石は軸体内に収納してあるので、落下等による衝撃が軸体に加わっても磁石は軸体内に収容されているので、直に衝撃が加わらないので、磁石の縁部等の損傷の危険の度合を軽減できる。また、地面に落下した際に砂鉄が筆記先端部に付着しても、磁石を他方向に移動することで砂鉄への磁力の影響が無くなり、簡単に筆記先端部から払いのけることができる。また、磁気表示パネルを立てた状態で使用した際の筆記においても、パネルの表示面側の磁性部材に磁石を吸着させれば、磁石が反対側に移動しないので、良好な筆跡を得ることができる。また、キャップを採用していないのでキャップの着脱行為をする必要がないので使用勝手が良い。また、構造もいたって簡単であり、製造コストもいたって安価にできるという利点がある。
【００１４】
請求項２に係る発明では、前記した磁気反転タイプや磁気泳動反転タイプの磁気表示パネル用の筆記用具となり、表示を形成した微小磁石と反対の磁極の磁石により、表示を形成した微小磁石を再反転させることで表示の筆跡の色を変化させる際に、本発明の筆記具用具１つで用が足り、Ｎ極の磁極側を筆記先端部とした筆記用具と、Ｓ極の磁極側を筆記先端部とした筆記用具の２つの筆記用具を用意する必要がなく、その分、磁気表示用パネルと筆記用具やイレーザーからなる磁気表示用パネル装置を提供する際に、安価に提供することができるという利点がある。
【００１５】
請求項３に係る発明では、一方端をＮ極とし他方端をＳ極の磁極とした磁石では、軸体を透明または半透明で形成したり、内部を視認可能な窓孔を設けて磁石を見ても、どちら側の端部がＮ極の磁極が位置しているかの判断は見ても判らないので、軸体の両端部に異なる色で形成した表示を施すことで、どちらの端部がＮ極あるいはＳ極の磁極が容易に知ることが可能となる。
【００１６】
請求項４に係る発明では、磁気表示パネル上を筆記する際に、軸体の角部等でパネルの表面を傷つけることがないので、傷によるパネル内に充填された分散液体の漏出を防ぎ、磁気表示パネルの耐久性を向上するという利点がある。
【発明を実施するための最良の形態】
【００１７】
本発明の磁気表示パネル用の筆記用具は、非磁性体よりなる中空の軸体に、磁石を両端へ移動可能に収容したもので、磁石が両端へ移動することで筆記用具の両端が筆記先端部となり、磁気表示パネルへの筆記が可能としたものである。軸体の内部および外部形状は、円形、四角形、多角形等何でも良く、限定されるものではない。内部形状においては収容された磁石が回転することなく軸筒の両端部へのスムーズな移動が可能であれば良く、磁石と内部形状の寸法関係においても、特に規制されるものではない。
【実施例】
【００１８】
本発明の磁気表示パネル用の筆記用具の実施例について、図面を用いて説明するが、本発明はこれに限定されるものではない。図１は、第１の実施例の磁気表示パネル用の筆記用具の概略を示す縦断面図である。図２は、第２の実施例の磁気表示パネル用の筆記用具の概略を示す縦断面図である。図３は、第３の実施例の磁気表示パネル用の筆記用具の概略を示す縦断面図である。
【００１９】
図１に示す第１の実施例の磁気表示パネル用の筆記用具１は、軸体２を、ポリプロピレンにより両端が開口した円筒状に形成してある。軸体２の開口した両端壁面２ａ、２ｂには、軸体２の内径より大径で外径より小径な、深さ（図において左右方向）が同じで外径が異なった係合凹部３、４を設けてある。
【００２０】
前記軸体２内に、該軸体２の内径より若干小径な外径を有する磁石５を軸体２の両端に移動可能に挿入し、前記係合凹部３、４に、各々の形状に合った鉄製で円板状の磁性部材６、７を接着剤により固着してある。軸体２の両端壁面２ａ、２ｂと磁性部材６、７の端壁面６ａ、７ａが略同一面条となるように設けてある。本実施例における筆記用具１においては、前記磁性部材６、７の端壁面６ａ、７ａが筆記先端部８，９となる。なお、磁性部材６、７の軸心方向の厚さは、言うまでもなく磁気表示パネルへの筆記の際に、各磁性部材６、７が磁石５により磁性して、磁気表示パネルへの表示が可能な程度の厚さとしてある。
【００２１】
磁性部材６は、外径が磁性部材７の外径より大径としてあるので、磁石５が磁性部材６に吸着した状態で磁性部材６を筆記先端部８として磁気表示パネル（図示せず）に筆記した際の筆跡幅は、磁石５が矢印方向に移動して磁性部材７に吸着し、磁性部材７を筆記先端部９として磁気表示パネル（図示せず）に筆記した際の筆跡幅より太幅となり、１つの筆記用具１で２種類の筆跡幅が得られる。軸体２はポリプロピレンで形成してあり、パネルに当接する両端の角の縁部をＲ状に形成してあるので、筆記用具１によるパネル面への傷つけ問題は低減される。
【００２２】
図２に示す第２の実施例の磁気表示パネル用の筆記用具２１は、軸体２２が、一方端に大径部２３ａを有し他方端に雌ねじ部２３ｂを有した両端が開口した円筒状で、ポリプロピレンで形成した第１軸筒２３と、該第１軸筒２３の他方端の外径と同径で、一方端に前記雌ねじ部２３ｂに螺合する雄ねじ部２４ｂを有した両端が開口した円筒状で、ポリプロピレンで形成した第２軸筒２４とで構成してあり、第１軸筒２３と第２軸筒２４を、各々の雌ねじ部２３ｂと雄ねじ部２４ｂを螺合して着脱自在に連結可能としてある。
【００２３】
第１軸筒の大径部２３ａの開口した端壁面２３ａａには、大径部２３ａの開口部における内径より大径で外径より小径な係合凹部２５が、第２軸筒の他方端２４ａの開口した端壁面２４ａａには、開口部における内径より大径で外径より小径な係合凹部２６が設けてある。係合凹部２５と係合凹部２６の深さ（図において左右方向）は同じ深さに形成してあるが、外径は係合凹部２５の方が係合凹部２６より大径に形成してある。
【００２４】
第１軸筒２３の係合凹部２５には、該係合凹部２５に嵌合する嵌合部２７ａと外径が大径部２３ａの外径と略同径で筆記先端部となる筆記部２７ｂとで構成された凸字形状の磁性部材２７を、嵌合部２７ａを係合凹部２５に嵌合し、筆記先端部となる筆記部２７ｂを第１軸筒２３の大径部２３ａの前方（図において左端）に突出させて接着剤により固着してある。第２軸筒２４の係合凹部２６には、該係合凹部２６に嵌合する嵌合部２８ａと外径が第２軸筒２４の外径と略同径で筆記先端部となる筆記部２８ｂとで構成された凸字形状の磁性部材２８を、嵌合部２８ａを係合凹部２６に嵌合し、筆記部２８ｂを第２軸筒２４の前方（図において右端）に突出させて接着剤により固着してある。
【００２５】
前記磁性部材２７または磁性部材２８を配した第１軸筒２３または第２軸筒２４内に、軸体２２の内径より若干小径な外径を有する磁石２９を移動可能に挿入し、第１軸筒２３と第２軸筒２４の各々の雌ねじ部２３ｂと雄ねじ部２４ｂを螺合して、本実施例の筆記用具２１を作製してある。本実施例における筆記用具２１においては、前記磁性部材２７、２８の筆記部２７ｂ、２８ｂが筆記先端部となる。第１の実施例と同様に、磁性部材２７、２８の軸心方向の厚さは、言うまでもなく磁気表示パネルへの筆記の際に、各磁性部材２７、２８が磁石２９により磁性して、磁気表示パネへの表示が可能な程度の厚さとしてある。
【００２６】
第１軸筒２３に配設した磁性部材２７の筆記部２７ｂの外径が第２軸筒２４に配設した磁性部材２８の筆記部２８ｂの外径より大径としてあるので、磁石２９が矢印方向に移動して磁性部材２８に吸着して、筆記部２８ｂで磁気表示パネル（図示せず）に筆記した際の筆跡幅は、磁石２９が磁性部材２７に吸着した状態で筆記部２７ｂで磁気表示パネル（図示せず）に筆記した際の筆跡幅より細幅となり、１つの筆記用具２１で２種類の筆跡幅が得られる。筆記用具２１によるパネル面への傷付けを低減するために、磁性部材２７、２８の角の縁部はＲ状に形成してある。
【００２７】
図３に示す第３の実施例の磁気表示パネル用の筆記用具３１は、軸体３２が非磁性体の合成ゴムで形成した第１軸筒３３と第２軸筒３４とで構成され、第１軸筒３３は、一方が閉塞した先窄み形状部３３ａで他方が端部に雌ねじ部３３ｂを有して開口した形状である。第２軸筒３４は、第１軸筒３３と略同形で、一方が閉塞した先窄み形状部３４ａで他方が端部に雌ねじ部３３ｂ有して開口した形状である。第１軸筒３３と第２軸筒３４を、各々の雌ねじ部３３ｂと雄ねじ部３４ｂを螺合して着脱自在に連結可能としてある。
【００２８】
第１軸筒の先窄み形状部３３ａの閉塞した内部の先端底部３５と、第２軸筒の先窄み形状部３４ａの閉塞した内部の先端底部３６には、同形状の鉄製の磁性部材３７を接着剤により固着してある。  第１軸筒３３または第２軸筒３４内に、一方端をＮ極とし他方端をＳ極の磁極とした磁石３８を移動可能に挿入し、第１軸筒３３と第２軸筒３４の各々の雌ねじ部３３ｂと雄ねじ部３４ｂを螺合して、本実施例の筆記用具３１を作製してある。磁性部材３７の軸心方向の厚さは、言うまでもなく磁気表示パネルへの筆記の際に、各磁性部材３７が磁石３８より磁性して、磁気表示パネへの表示が可能な程度の厚さとしてあり、第１軸筒３３と第２軸筒３４の各々の先窄み形状部３３ａ．３４ａの先端底部３５、３６における軸心方向の厚さも、軸体３２内に挿入した磁石３８により磁気表示パネルへの表示が可能な程度の厚さとしてある。
【００２９】
図示していないが、磁石３７のＮ極側の第１軸筒３３の先窄み形状部３３ａの周面３９には、磁気泳動反転型表示パネルに磁石のＮ極側の磁極で筆記した際に、磁気泳動反転型表示パネルに表示される筆跡の色と同色または同系色で着色してあり、磁石３８のＳ極側の第２軸筒３４の先窄み形状部３４ａの周面４０は、磁気泳動反転型表示パネル（図示せず）に磁石のＳ極側の磁極で筆記した際に、磁気泳動反転型表示パネルに表示される筆跡の色と同色または同系色で着色してある。前記パネルに、第１軸筒３３の磁性部材３７に磁石３８が吸着した状態と、磁石３８が矢印方向に移動して磁性部材３７に吸着した状態とで筆記した際には、異なった色の筆跡が得られる。本実施例における筆記用具３１においては、第１軸筒の先窄み形状部３３ａの先端部と第２軸筒の先窄み形状部３４ａの先端部が筆記先端部４１、４２となる。筆記用具３１の軸体３２が合成ゴムで形成してあるのでパネル面への傷付けを低減することができる。
【００３０】
本発明における磁気表示パネル用の筆記用具１、２１、３１は、立てた状態の磁気表示パネルに対して筆記を行う際に、従来と同様に、筆記用具１、２１、３１を寝かせた状態（筆記面と反対側の軸体２、２２、３２が下がった状態）で筆記しても良好な筆跡が得られる。
【産業上の利用可能性】
【００３１】
磁気表示パネル用の筆記用具として２本存在するものを、１つにまとめることができ、従来の玩具用の磁気表示パネルにおいて複数本の筆記用具の収納スペースが必要であったものが１つの収納スペースで良く、表示パネルの包装体のサイズの縮小化が可能となる。
【図面の簡単な説明】
【００３２】
【図１】第１の実施例の磁気表示パネル用の筆記用具の概略を示す縦断面図である。
【図２】第２の実施例の磁気表示パネル用の筆記用具の概略を示す縦断面図である。
【図３】第３の実施例の磁気表示パネル用の筆記用具の概略を示す縦断面図である。
【符号の説明】
【００３３】
１、２１、３１  磁気表示パネル用の筆記用具
２、２２、３２  軸体
５、２９、３８  磁石
６、７、２７、２８、３７  磁性部材
８、９、４１、４２  筆記先端部
２７ｂ、２８ｂ  筆記部
【図１】
2009220538.tif 000003
【図２】
2009220538.tif 000004
【図３】
2009220538.tif 000005